【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
遠隔デバイスから送られた符号化されたファーエンド映像をローカルデバイスにより受信することであって、前記ローカルデバイスと前記遠隔デバイスは各々、映像通信デバイスを含み、前記ファーエンド映像は、前記遠隔デバイスによって得られる、ことと、
前記ローカルデバイスによって得られたニアエンド映像内における関心領域（ＲＯＩ）を指定する前記遠隔デバイスからの情報を、前記ローカルデバイスにより受信することであって、前記ＲＯＩを指定する情報は、前記符号化されたファーエンド映像内に埋め込まれる、ことと、
前記ニアエンド映像内のどのマクロブロックが前記ＲＯＩに含まれるかを前記ローカルデバイスにより決定することと、
前記ＲＯＩに含まれると決定された前記ニアエンド映像内の前記マクロブロックの動き情報を前記ローカルデバイスにより決定することと、
前記ＲＯＩに含まれると最初に決定されたどのマクロブロックが前記ＲＯＩから除外されるかを前記動き情報に基づいて前記ローカルデバイスにより決定することと、
前記ニアエンド映像を符号化し、前記符号化されたニアエンド映像の非ＲＯＩエリアに対し、前記ＲＯＩの画質を向上させるために、前記ＲＯＩ内に残っている前記ニアエンド映像内の前記マクロブロックに前記ローカルデバイスによる符号化を適用することと
を具備する、方法。
【請求項２】
前記遠隔デバイスに前記向上した画質を有する前記符号化されたニアエンド映像を送信することをさらに具備する、請求項１に記載の方法。
【請求項３】
前記ＲＯＩを指定する情報は、前記符号化されたファーエンド映像内に埋め込まれたユーザーデータフィールド内に含まれる、請求項１に記載の方法。
【請求項４】
前記ＲＯＩを指定する情報は、データ隠蔽技術を使用することにより前記符号化されたファーエンド映像内に埋め込まれる、請求項１に記載の方法。
【請求項５】
前記遠隔デバイスによって符号化されたさらなるファーエンド映像を前記ローカルデバイスにより受信することであって、前記さらなるファーエンド映像は、前記遠隔デバイスによって得られる、ことと、
前記遠隔デバイスから受信された前記さらなるファーエンド映像を復号し、前記さらなるファーエンド映像の非ＲＯＩエリアに対し、前記さらなるファーエンド映像の前記ファーエンドＲＯＩの画質を向上させることと
をさらに具備する、請求項１に記載の方法。
【請求項６】
前記さらなるファーエンド映像を復号することは、前記さらなるファーエンド映像の非ＲＯＩエリアに対し、前記さらなるファーエンド映像の前記ファーエンドＲＯＩに、より高品質の後処理またはエラー隠蔽技術を適用することを含む、請求項５に記載の方法。
【請求項７】
前記ＲＯＩに基づいて前記ニアエンド映像を符号化する前に、前記遠隔デバイスに関連する遠隔ユーザーを認証することをさらに具備する、請求項１に記載の方法。
【請求項８】
前記遠隔デバイスからの情報を受信することが前記ニアエンド映像内における複数のＲＯＩを指定する複数の遠隔デバイスからの情報を受信することを含む、方法であって、前記方法はさらに、
前記ＲＯＩの各々に基づいた前記ニアエンド映像の符号化を制御するために、前記遠隔デバイスに関連する遠隔ユーザーのうちの１つを選択するため、前記遠隔ユーザーを認証すること
を具備する、請求項１に記載の方法。
【請求項９】
映像通信デバイスであって、
前記映像通信デバイスによって得られたニアエンド映像内における関心領域（ＲＯＩ）を指定する遠隔映像通信デバイスからの情報を受信し、前記遠隔デバイスから送られた符号化されたファーエンド映像をさらに受信する、映像復号器であって、前記ＲＯＩを指定する情報は、前記符号化されたファーエンド映像内に埋め込まれ、前記ファーエンド映像は、前記遠隔映像通信デバイスによって得られる、映像復号器と、
前記ニアエンド映像内のどのマクロブロックが前記ＲＯＩに含まれるかを決定し、前記ＲＯＩに含まれると決定された前記ニアエンド映像内の前記マクロブロックの動き情報を決定し、前記ＲＯＩに含まれると最初に決定されたどのマクロブロックが前記ＲＯＩから除外されるかを前記動き情報に基づいて決定する追跡モジュールと、
前記ニアエンド映像を符号化し、前記符号化されたニアエンド映像の非ＲＯＩエリアに対し、前記ＲＯＩの画質を向上させるために、前記ＲＯＩ内に残っている前記ニアエンド映像内の前記マクロブロックに適用する、映像符号器と
を具備する、映像通信デバイス。
【請求項１０】
前記映像符号器は、前記遠隔デバイスに前記向上した画質を有する前記符号化されたニアエンド映像を送信する、請求項９に記載のデバイス。
【請求項１１】
前記遠隔デバイスから受信された情報は、前記ニアエンド映像内における複数のＲＯＩを指定する複数の遠隔デバイスからの情報を含み、システムは、前記ＲＯＩの各々に基づいた前記ニアエンド映像の符号化を制御するために、前記遠隔デバイスに関連する遠隔ユーザーのうちの１つを選択するため、前記遠隔ユーザーを認証する認証モジュールをさらに具備する、請求項９に記載のデバイス。
【請求項１２】
ローカルデバイスのプロセッサに、
遠隔デバイスから送られた符号化されたファーエンド映像を受信させ、前記ローカルデバイスと前記遠隔デバイスは各々、映像通信デバイスを含み、前記ファーエンド映像は、前記遠隔デバイスによって得られ、
前記ローカルデバイスによって得られたニアエンド映像内における関心領域（ＲＯＩ）を指定する前記遠隔デバイスからの情報を受信させ、前記ＲＯＩを指定する情報は、前記符号化されたファーエンド映像内に埋め込まれており、
前記ニアエンド映像内のどのマクロブロックが前記ＲＯＩに含まれるかを決定し、
前記ＲＯＩに含まれると決定された前記ニアエンド映像内の前記マクロブロックの動き情報を決定し、
前記ＲＯＩに含まれると最初に決定されたどのマクロブロックが前記ＲＯＩから除外されるかを前記動き情報に基づいて決定し、
前記ニアエンド映像を符号化させ、前記符号化されたニアエンド映像の非ＲＯＩエリアに対し、前記ＲＯＩの画質を向上させるために、前記ＲＯＩ内に残っている前記ニアエンド映像内の前記マクロブロックに符号化を適用する、
命令を記憶するコンピュータ可読媒体。
【手続補正２】
【補正対象書類名】明細書
【補正対象項目名】０１１９
【補正方法】変更
【補正の内容】
【０１１９】
様々な実施形態が説明されている。これらの及びその他の実施形態は、上記の請求項の適用範囲内である。
以下に本願発明の当初の特許請求の範囲に記載された発明を付記する。
［Ｃ１］
ローカルデバイスによって生成されたニアエンド映像内の関心領域（ＲＯＩ）の記述をユーザーから受信することと、
前記ＲＯＩを指定する情報を前記記述に基づいて生成することと、
前記ＲＯＩを指定する前記情報に基づいて前記ニアエンド映像を符号化して前記ニアエンド映像の非ＲＯＩエリアとの相対的な前記ＲＯＩの画質を向上させること、とを具備する方法。
［Ｃ２］
前記記述は、テキストによる記述であるＣ１に記載の方法。
［Ｃ３］
前記記述は、口頭による記述であるＣ１に記載の方法。
［Ｃ４］
前記口頭による記述を音声認識によって処理することと、前記ＲＯＩを指定する前記情報を１つ以上の認識された言葉に基づいて生成すること、とをさらに具備するＣ３に記載の方法。
［Ｃ５］
前記記述は、図形による記述であるＣ１に記載の方法。
［Ｃ６］
前記図形による記述は、前記ユーザーによってユーザーインタフェース画面上に描かれたエリアとして受信されるＣ５に記載の方法。
［Ｃ７］
ローカルデバイスのユーザーから前記記述を受信することと、前記記述を処理して前記ローカルデバイス内において前記ＲＯＩを指定する前記情報を生成すること、とをさらに具備するＣ１に記載の方法。
［Ｃ８］
ローカルデバイスのユーザーから前記記述を受信することと、前記記述を処理して前記ローカルデバイスとは別個の中間サーバー内において前記ＲＯＩを指定する前記情報を生成すること、とをさらに具備するＣ１に記載の方法。
［Ｃ９］
前記記述を遠隔デバイスのユーザーから受信することをさらに具備し、前記記述は、前記ローカルデバイスによって符号化されたニアエンド映像に関して前記ＲＯＩを定義し、前記ＲＯＩを指定する前記情報は、前記遠隔デバイスから受信された符号化されたファーエンド映像内に埋め込まれるＣ１に記載の方法。
［Ｃ１０］
前記記述を遠隔デバイスのユーザーから受信することをさらに具備し、前記記述は、前記ローカルデバイスによって符号化されたニアエンド映像に関して前記ＲＯＩを定義し、前記ＲＯＩを指定する前記情報は、アウトオブバンドシグナリングによって前記遠隔デバイスから受信されるＣ１に記載の方法。
［Ｃ１１］
前記遠隔デバイスから受信された符号化されたファーエンド映像内においてＲＯＩを指定する情報を生成することと、前記ＲＯＩ情報を前記符号化されたニアエンド映像とともに前記遠隔デバイスに送信すること、とをさらに具備するＣ１に記載の方法。
［Ｃ１２］
前記遠隔デバイスから受信された符号化されたファーエンド映像を復号して前記ファーエンド映像の非ＲＯＩエリアとの相対的な前記ファーエンド映像内の前記ＲＯＩの前記画質を向上させることをさらに具備するＣ１に記載の方法。
［Ｃ１３］
前記ＲＯＩを指定する前記情報に基づいて前記ＲＯＩ内のマクロブロック（ＭＢ）を識別するマクロブロック（ＭＢ）マップを生成することをさらに具備するＣ１に記載の方法。
［Ｃ１４］
前記記述をローカルデバイスのユーザーから受信することであって、前記記述は、前記ローカルデバイスによって符号化されたニアエンド映像に関して前記ＲＯＩを定義することと、
前記符号化されたニアエンド映像と関連する動き情報をモニタリングすることと、
前記動き情報に基づいて前記ＲＯＩを調整することと、
前記調整されたＲＯＩに基づいて前記ニアエンド映像を符号化すること、とをさらに具備するＣ１に記載の方法。
［Ｃ１５］
前記ＲＯＩを指定する前記情報に基づいて前記ＲＯＩ内にあるマクロブロック（ＭＢ）を識別するマクロブロック（ＭＢ）マップを生成することをさらに具備し、前記ＲＯＩを調整することは、前記動き情報に基いてＭＢが前記ＲＯＩ内に含められているか又は前記ＲＯＩから除外されているとしてＭＢの状態を修正することを含むＣ１４に記載の方法。
［Ｃ１６］
映像符号化デバイスであって、
前記デバイスによって符号化されたニアエンド映像内における関心領域（ＲＯＩ）の記述を受信し、前記ＲＯＩを指定する情報を前記記述に基づいて生成する関心領域（ＲＯＩ）エンジンと、
前記ニアエンド映像を符号化して前記映像の非ＲＯＩエリアとの相対的な前記ＲＯＩの画質を向上させる映像符号器と、を具備する、映像符号化デバイス。
［Ｃ１７］
前記記述は、テキストによる記述であるＣ１６に記載のデバイス。
［Ｃ１８］
前記記述は、口頭による記述であるＣ１６に記載のデバイス。
［Ｃ１９］
前記口頭による記述を音声認識によって処理し、前記ＲＯＩを指定する前記情報を１つ以上の認識された言葉に基づいて生成する抽出モジュールをさらに具備するＣ１８に記載のデバイス。
［Ｃ２０］
前記記述は、図形による記述であるＣ１６に記載のデバイス。
［Ｃ２１］
前記図形による記述は、前記ユーザーによってユーザーインタフェース画面上に描かれたエリアとして受信されるＣ２０に記載のデバイス。
［Ｃ２２］
前記ＲＯＩエンジンは、前記デバイスのユーザーから前記記述を受信し、前記記述は、前記ニアエンド映像に関して前記ＲＯＩを定義するＣ１６に記載のデバイス。
［Ｃ２３］
前記ＲＯＩエンジンは、前記ＲＯＩを指定する前記情報を生成するために前記記述を中間サーバーに送信するＣ１６に記載のデバイス。
［Ｃ２４］
前記ＲＯＩエンジンは、遠隔映像通信デバイスのユーザーから前記記述を受信し、前記記述は、前記映像通信デバイスによって符号化されたニアエンド映像に関して前記ＲＯＩを定義し、前記ＲＯＩを指定する前記情報は、前記遠隔デバイスから受信された符号化されたファーエンド映像内に埋め込まれるＣ１６に記載のデバイス。
［Ｃ２５］
前記ＲＯＩエンジンは、遠隔映像通信デバイスのユーザーから前記記述を受信し、前記記述は、前記映像通信デバイスによって符号化されたニアエンド映像に関して前記ＲＯＩを定義し、前記ＲＯＩを指定する前記情報は、前記遠隔デバイスからアウトオブバンドシグナリングによって受信されるＣ１６に記載の方法。
［Ｃ２６］
前記ＲＯＩエンジンは、前記遠隔デバイスから受信された符号化されたファーエンド映像内のＲＯＩを指定する情報を生成し、前記ＲＯＩ情報を前記符号化されたニアエンド映像とともに前記遠隔デバイスに送信するＣ２５に記載のデバイス。
［Ｃ２７］
前記遠隔デバイスから受信された符号化されたファーエンド映像を復号して前記ファーエンド映像の非ＲＯＩエリアとの相対的な前記ファーエンド映像内のＲＯＩの前記画質を向上させる映像復号器をさらに具備するＣ１６に記載のデバイス。
［Ｃ２８］
前記ＲＯＩを指定する前記情報に基づいて前記ＲＯＩ内にあるマクロブロック（ＭＢ）を識別するマクロブロック（ＭＢ）マップを生成することをさらに具備するＣ１６に記載のデバイス。
［Ｃ２９］
前記符号化されたニアエンド映像と関連する動き情報をモニタリングし、前記動き情報に基づいて前記ＲＯＩを調整する追跡モジュールをさらに具備し、前記符号器は、前記調整されたＲＯＩに基づいて前記ニアエンド映像を符号化するＣ１６に記載のデバイス。
［Ｃ３０］
前記ＲＯＩを指定する前記情報に基づいて前記ＲＯＩ内にあるマクロブロック（ＭＢ）を識別するマクロブロック（ＭＢ）マップを生成するマッパーモジュールをさらに具備し、前記追跡モジュールは、前記動き情報に基づいてＭＢが前記ＲＯＩ内に含められているか又は前記ＲＯＩから除外されているとしてＭＢの状態を修正することによって前記ＲＯＩを調整するＣ２９に記載のデバイス。
［Ｃ３１］
ローカルデバイスによって生成されたニアエンド映像内における関心領域（ＲＯＩ）の記述をユーザーから受信すること、前記ＲＯＩを指定する情報を前記記述に基づいて生成すること、及び前記ＲＯＩを指定する前記情報に基づいて前記ニアエンド映像を符号化して前記ニアエンド映像の非ＲＯＩエリアとの相対的な前記ＲＯＩの画質を向上させることをプロセッサに行わせる命令を具備するコンピュータ読み取り可能媒体。
［Ｃ３２］
前記記述は、テキストによる記述であるＣ３１に記載のコンピュータ読み取り可能媒体。
［Ｃ３３］
前記記述は、口頭による記述であるＣ３１に記載のコンピュータ読み取り可能媒体。
［Ｃ３４］
前記命令は、前記口頭による記述を音声認識によって処理すること、及び前記ＲＯＩを指定する前記情報を１つ以上の認識された言葉に基づいて生成することを前記プロセッサに行わせるＣ３３に記載のコンピュータ読み取り可能媒体。
［Ｃ３５］
前記記述は、図形による記述であるＣ３１に記載のコンピュータ読み取り可能媒体。
［Ｃ３６］
前記図形による記述は、前記ユーザーによってユーザーインタフェース画面上に描かれたエリアとして受信されるＣ３５に記載のコンピュータ読み取り可能媒体。
［Ｃ３７］
前記命令は、ローカルデバイスのユーザーから前記記述を受信することを前記プロセッサに行わせるＣ３１に記載のコンピュータ読み取り可能媒体。
［Ｃ３８］
前記命令は、前記ローカルデバイス内において前記ＲＯＩを指定する前記情報を生成することを前記プロセッサに行わせるＣ３１に記載のコンピュータ読み取り可能媒体。
［Ｃ３９］
前記命令は、遠隔デバイスのユーザーから前記記述を受信することを前記プロセッサによって行わせ、前記記述は、前記ローカルデバイスによって符号化されたニアエンド映像に関して前記ＲＯＩを定義するＣ３１に記載のコンピュータ読み取り可能媒体。
［Ｃ４０］
前記記述は、前記遠隔デバイスから受信されたファーエンド映像内に埋め込まれるＣ３１に記載のコンピュータ読み取り可能媒体。
［Ｃ４１］
前記記述は、前記遠隔デバイスからアウトオブバンドシグナリングによって受信されるＣ３１に記載のコンピュータ読み取り可能媒体。
［Ｃ４２］
前記命令は、前記遠隔デバイスから受信された符号化されたファーエンド映像内においてＲＯＩを指定する情報を生成すること、及び前記ＲＯＩ情報を前記符号化されたニアエンド映像とともに前記遠隔デバイスに送信することを前記プロセッサに行わせるＣ３１に記載のコンピュータ読み取り可能媒体。
［Ｃ４３］
前記命令は、前記遠隔デバイスから受信された前記符号化されたファーエンド映像を復号して前記ファーエンド映像の非ＲＯＩエリアとの相対的な前記ファーエンド映像内の前記ＲＯＩの前記画質を向上させることを前記プロセッサに行わせるＣ４２に記載のコンピュータ読み取り可能媒体。
［Ｃ４４］
前記命令は、前記ＲＯＩを指定する前記情報に基づいて前記ＲＯＩ内にあるマクロブロック（ＭＢ）を指定するマクロブロック（ＭＢ）マップを生成することを前記プロセッサに行わせるＣ３１に記載のコンピュータ読み取り可能媒体。
［Ｃ４５］
前記命令は、ローカルデバイスのユーザーから前記記述を受信することであって、前記記述は、前記ローカルデバイスによって符号化されたニアエンド映像に関して前記ＲＯＩを定義すること、前記符号化されたニアエンド映像と関連する動き情報をモニタリングすること、前記動き情報に基づいて前記ＲＯＩを調整すること、及び前記調整されたＲＯＩに基づいて前記ニアエンド映像を符号化することを前記プロセッサに行わせるＣ３１に記載のコンピュータ読み取り可能媒体。
［Ｃ４６］
前記命令は、前記ＲＯＩを指定する前記情報に基づいて前記ＲＯＩ内にあるマクロブロック（ＭＢ）を識別するマクロブロック（ＭＢ）マップを生成すること、及び前記動き情報に基づいてＭＢが前記ＲＯＩ内に含められているか又は前記ＲＯＩから除外されているとしてＭＢの状態を修正することによって前記ＲＯＩを調整することを前記プロセッサに行わせるＣ４５に記載のコンピュータ読み取り可能媒体。
［Ｃ４７］
ニアエンド映像を符号化する第１の映像通信デバイスと、
前記ニアエンド映像を前記第１の映像通信デバイスから受信する第２の映像通信デバイスであって、前記第１の映像通信デバイスによって生成された前記ニアエンド映像内における関心領域（ＲＯＩ）のユーザー記述を生成する第２の映像通信デバイスと、
前記第１及び第２の映像通信デバイスと構造的に別個であり、前記ＲＯＩを指定する情報を前記記述に基づいて生成する中間サーバーと、を具備し、前記第１の映像通信デバイスは、前記ＲＯＩを指定する前記情報に基づいて前記ニアエンド映像を符号化して前記ニアエンド映像の非ＲＯＩエリアとの相対的な前記ＲＯＩの画質を向上させる、映像符号化システム。